(57)【要約】【課題】比較的大きな固定用構造物にも係止することができる、コンパクトで簡単な構造の高所作業用安全帯のフックを提供する。【解決手段】第１および第２の腕部分３、４を有するストッパ２が、フック本体１の中間部１ｂに第１のピン５によって旋回可能に取り付けられ、閉位置と開位置をとる。ストッパは常時閉位置に向けて弾性付勢される。操作レバー７が第２のピン８によってフック本体の基部１ａに旋回可能に取り付けられる。第２の腕部分と操作レバーが重ね合わされ、スリット９を貫通するリベット１０によって連結される。操作レバーは、ストッパを閉位置にロックする第１の位置と、ストッパに開位置をとらせる第２の位置との間で旋回し得る。操作レバーは常時第１の位置に向けて弾性付勢される。【選択図】図２
2014239724.tif 000002
【特許請求の範囲】
【請求項１】
高所作業現場において使用される高所作業用安全帯の命綱の先端に備えられ、前記命綱を前記高所作業現場の固定用構造物に係止するためのフックであって、
平板状のフック本体を備え、前記フック本体の基部に命綱連結孔が設けられ、さらに、
第１および第２の腕部分を有するベルクランク形状をなし、前記第１および第２の腕部分の接続部を第１のピンによって前記フック本体の中間部に、前記第２の腕部分が前記第１の腕部分の軸に関して前記フック本体の基部側に位置する配置で取り付けられて前記第１のピンのまわりに旋回可能とされて、前記第１の腕部分がその先端を前記フック本体の先端に外側から係合させて前記フック本体の中間部および先端間を閉じる閉位置と、前記第１の腕部分が前記フック本体の先端から外向きに所定距離離間して前記フック本体の中間部および先端間を開く開位置とをとるストッパと、
前記第１のピンに取り付けられて前記ストッパおよび前記フック本体に作用し、前記ストッパを常時前記閉位置に向けて弾性付勢する第１のバネと、
一端を第２のピンによって前記フック本体の基部に取り付けられるとともに、他端側において前記ストッパの前記第２の腕部分に作動連結され、前記第２のピンのまわりに、前記ストッパを前記閉位置にロックする第１の位置と、前記ストッパに前記開位置をとらせる第２の位置との間において旋回可能とされた操作レバーと、を備え、
前記操作レバーの他端側にはスリットが設けられ、前記スリットは、前記第２のピンの半径方向にのびる第１のスリット部分と、前記第１のスリット部分の先端から前記操作レバーの前記第１の位置から前記第２の位置への旋回方向にのびる第２のスリット部分とからなる実質上Ｌ字形状を有し、さらに、
前記第２の腕部分に取り付けられて、前記操作レバーの前記スリット内に挿入されたガイドピンを備え、前記操作レバーの旋回に伴って、前記ガイドピンが前記スリットによって案内されつつ前記ストッパが旋回するとともに、前記操作レバーが前記第１の位置にあるとき、前記ガイドピンが前記第２のスリット部分内にあって前記ストッパが前記閉位置にロックされるようになっており、さらに、
前記第２のピンに取り付けられて前記操作レバーおよび前記フック本体に作用し、前記操作レバーを常時前記第１の位置に向けて弾性付勢する第２のバネを備え、
前記操作レバーが前記第１の位置から前記第２の位置に向けて旋回せしめられるとき、前記ガイドピンが前記第２のスリット部分内から前記第１のスリット部分内に移動することで、前記ストッパのロックが解除され、次いで、前記ガイドピンが前記第２のスリット部分内を移動しつつ前記操作レバーが旋回せしめられ、前記操作レバーが前記第２の位置に到達した時点で前記ストッパが前記開位置をとるものであることを特徴とするフック。
【請求項２】
前記フック本体に設けられて、前記操作レバーを前記第１の位置にロックするロック位置と、前記操作レバーのロックを解除するロック解除位置とをとる操作レバーロック機構を、さらに備えたことを特徴とする請求項１に記載のフック。
【発明の詳細な説明】
【技術分野】
【０００１】
本発明は、建築現場等の高所作業現場において使用される高所作業用安全帯、特に、その命綱の先端に備えられ、命綱を高所作業現場の固定用構造物に係止するために使用されるフックに関するものである。
【背景技術】
【０００２】
従来のこの種のフックとして、例えば、特許文献１に記載されたようなものがある。
この従来のフックは、図６に示すように、鉤状の本体２０を有し、本体２０の基部２０ａに形成された命綱連結孔２９に、高所作業用安全帯に備えられた命綱の先端が連結されるようになっている。
【０００３】
本体２０の基部２０ａには、また、断面がコ字状のレバー形状をなすストッパ２１が、本体２０の基部２０に外側から嵌め込まれた状態で、一端２１ａを第１のピン２２によって取り付けられて第１のピン２２のまわりに旋回可能とされ、そして、ストッパ２１は、本体２０の基部２０ａおよび先端２０ｂ間を閉じる閉位置（図６Ａ参照）と、閉位置から本体２０の内側に押し込まれて本体２０の基部２０ａおよび先端２０ｂ間を開く開位置（図６Ｂ参照）をとるようになっている。
【０００４】
また、本体２０の基部２０ａ付近には、ロック部材２３が取り付けられている。ロック部材２３は、コ字状の断面を有し、一端がストッパ２１の内側に嵌め込まれる一方、他端が本体２０に外側から嵌め込まれた状態で、その一端を第２のピン２４によってストッパ２１に取り付けられて第２のピン２４のまわりに旋回可能になっている。
【０００５】
ロック部材２３の互いに対向する側壁の他端側には、ロック部材２３の長さ方向にのびる第１の部分と、第１の部分からロック部材２３の幅方向にストッパ２１の先端２１ｂに近づく向きにのびる第２の部分とからなるほぼＬ字状のスリット２５が設けられている。さらに、本体２０の基部２０ａ付近には第３のピン２６が取り付けられ、スリット２５内に挿入されている。
【０００６】
図示はしないが、第２のピン２４には、バネが取り付けられ、ストッパ２１およびロック部材２３に作用し、ストッパ２１を閉位置に向けて弾性付勢する一方、ロック部材２３を第３のピン２６がスリット２５の第２の部分に位置するように弾性付勢し、それによって、ストッパ２１は、常時、ロック部材２３によって閉位置にロックされるようになっている。
【０００７】
また、断面がコ字状のハンドル２７が、その内側空間に本体２０の一部、ロック部材２３の一部および第３のピン２６が挿入された状態で、一端２７ａを第４のピン２８によって本体２０の中間部に取り付けられて第４のピン２８のまわりに旋回可能になっている。
さらに、図示はしないが、ハンドル２７の内側面には、ロック部材２３のストッパ２１から遠ざかる側の側縁に当接する隆起が設けられている。
【０００８】
そして、ハンドル２７が本体２０に向けて旋回せしめられると、ロック部材２３がハンドル２７の隆起によってストッパ２１に向けて押されて第３のピン２３がスリット２５の第２の部分から第１の部分に進入し、ロック部材２３によるロックが解除され、さらに、第３のピン２３がスリット２５の第１の部分の範囲内を移動しつつ、ストッパ２１が本体２０に向けて旋回せしめられることでストッパ２１が開位置をとる。
開位置において、本体２０が高所作業現場の固定用構造物に引っ掛けられ、その後、ストッパ２１およびハンドル２７が開放され、それによって、ストッパ２１は閉位置に戻り、ロック部材２３によってロックされ、フックが固定用構造物に係止される。
【０００９】
この構成によれば、ストッパ２１が閉位置をとるときに本体２０およびストッパ２１によって囲まれたスペースのうち、ストッパ２１の開閉に必要な領域（ストッパ２１の旋回運動の経路）を除いた部分が、固定用構造物への係止に使用できるに過ぎず、よって、固定用構造物への係止のための有効スペースは比較的小さい。さらに、ストッパ２１が開位置をとったときにフックに形成される開口もさほど大きくはない。
【００１０】
よって、例えば、固定用構造物として、間隔をあけて配置した多数の支柱間に親綱を水平に張ったものが利用される場合、フックを１の支柱の一方側から他方側に移動させるとき、フックを開いた状態で親綱および支柱に係合させることはできないので、支柱の一方側においてフックを親綱から取り外し、支柱の他方側においてフックを親綱に係止しなければならず、万一この移動の間に作業者が足を滑らせる等すれば、墜落する危険性があった。
【００１１】
そして、サイズの大きい固定用構造物にも係止可能とするには、上記係止のための有効スペースを大きくすべく、フック（本体２０）を大きくする必要があるが、この種のフックは、不使用時には、作業者の腰に装着された胴ベルトに吊り下げ状態で保持されるので、本体２０のサイズが大きいと、フックの重量が増し、また嵩張って作業の邪魔になるという問題があった。
【先行技術文献】
【特許文献】
【００１２】
【特許文献１】特許第３２８７９１８号公報
【発明の概要】
【発明が解決しようとする課題】
【００１３】
したがって、本発明の課題は、比較的大きな固定用構造物にも係止することができる、コンパクトで簡単な構造の高所作業用安全帯のフックを提供することにある。
【課題を解決するための手段】
【００１４】
上記課題を解決するため、本発明によれば、高所作業現場において使用される高所作業用安全帯の命綱の先端に備えられ、前記命綱を前記高所作業現場の固定用構造物に係止するためのフックであって、平板状のフック本体を備え、前記フック本体の基部に命綱連結用孔が設けられ、さらに、第１および第２の腕部分を有するベルクランク形状をなし、前記第１および第２の腕部分の接続部を第１のピンによって前記フック本体の中間部に、前記第２の腕部分が前記第１の腕部分の軸に関して前記フック本体の基部側に位置する配置で取り付けられて前記第１のピンのまわりに旋回可能とされて、前記第１の腕部分がその先端を前記フック本体の先端に外側から係合させて前記フック本体の中間部および先端間を閉じる閉位置と、前記第１の腕部分が前記フック本体の先端から外向きに所定距離離間して前記フック本体の中間部および先端間を開く開位置とをとるストッパと、前記第１のピンに取り付けられて前記ストッパおよび前記フック本体に作用し、前記ストッパを常時前記閉位置に向けて弾性付勢する第１のバネと、一端を第２のピンによって前記フック本体の基部に取り付けられるとともに、他端側において前記ストッパの前記第２の腕部分に作動連結され、前記第２のピンのまわりに、前記ストッパを前記閉位置にロックする第１の位置と、前記ストッパに前記開位置をとらせる第２の位置との間において旋回可能とされた操作レバーと、を備え、前記操作レバーの他端側にはスリットが設けられ、前記スリットは、前記第２のピンの半径方向にのびる第１のスリット部分と、前記第１のスリット部分の先端から前記操作レバーの前記第１の位置から前記第２の位置への旋回方向にのびる第２のスリット部分とからなる実質上Ｌ字形状を有し、さらに、前記第２の腕部分に取り付けられて、前記操作レバーの前記スリット内に挿入されたガイドピンを備え、前記操作レバーの旋回に伴って、前記ガイドピンが前記スリットによって案内されつつ前記ストッパが旋回するとともに、前記操作レバーが前記第１の位置にあるとき、前記ガイドピンが前記第２のスリット部分内にあって前記ストッパが前記閉位置にロックされるようになっており、さらに、前記第２のピンに取り付けられて前記操作レバーおよび前記フック本体に作用し、前記操作レバーを常時前記第１の位置に向けて弾性付勢する第２のバネを備え、前記操作レバーが前記第１の位置から前記第２の位置に向けて旋回せしめられるとき、前記ガイドピンが前記第２のスリット部分内から前記第１のスリット部分内に移動することで、前記ストッパのロックが解除され、次いで、前記ガイドピンが前記第２のスリット部分内を移動しつつ前記操作レバーが旋回せしめられ、前記操作レバーが前記第２の位置に到達した時点で前記ストッパが前記開位置をとるものであることを特徴とするフックが提供される。
【００１５】
本発明の好ましい実施例によれば、前記フックは、前記フック本体に設けられて、前記操作レバーを前記第１の位置にロックするロック位置と、前記操作レバーのロックを解除するロック解除位置とをとる操作レバーロック機構をさらに備えている。
【発明の効果】
【００１６】
本発明によれば、ストッパをフック本体の外側に開くことでフックを開口するようにしたので、ストッパが閉位置をとるときにフック本体およびストッパによって囲まれたスペースをすべて、固定用構造物の係止のための有効スペースとすることができ、さらに、ストッパが開位置をとるときにフックに形成される開口も大きくとることができる。
こうして、ストッパをフック本体の内側に開いてフックを開口する従来のフックと同程度のサイズおよび重量で、より大きな固定用構造物にも確実に係止可能なフックを提供することができる。
【００１７】
そして、例えば、固定用構造物として、間隔をあけて配置した多数の支柱間に親綱を水平に張ったものが利用される場合、フックを１の支柱の一方側から他方側に移動させるときには、支柱の一方の側においてフックを開くがフックを親綱から取り外すことなく、フックを開いた状態で親綱および支柱に係合させ、そのままフックを支柱の他方の側の親綱へ移動させた後、フックを閉じることで、作業者は安全に移動することができる。
【００１８】
また、本発明によれば、フックを一旦固定用構造物に係合させると、操作レバーによってストッパのロックを解除しない限り、フックが固定用構造物から外れることがなく、安全が確保され、さらには、フックの構造も簡単になり、製造コストを抑制できる。
【図面の簡単な説明】
【００１９】
【図１】本発明の１実施例による高所作業用安全帯のフックの分解斜視図である。
【図２】（Ａ）は、図１に示したフックのストッパが閉位置にロックされた状態を示す平面図であり、（Ｂ）は図１に示したフックのストッパのロックが解除された状態を示す平面図である。
【図３】（Ａ）は、図１に示したフックのストッパが開位置にある状態を示す平面図であり、（Ｂ）は、ストッパが閉位置にロックされた状態のフックの正面図である。
【図４】図１に示したフックの使用例を示した斜視図である。
【図５】本発明の別の実施例による高所作業用安全帯のフックを示した図であり、（Ａ）は操作レバーが第１の位置にロックされた状態を示す平面図であり、（Ｂ）は操作レバーのロックが解除された状態を示す平面図である。
【図６】高所作業用安全帯のフックの従来例を示す図であり、（Ａ）はストッパが閉位置にある状態を示す平面図であり、（Ｂ）はストッパが開位置にある状態を示す平面図である。
【発明を実施するための形態】
【００２０】
以下、本発明の好ましい実施例を図面を参照して説明する。図１は、本発明の１実施例による高所作業用安全帯のフックの分解斜視図であり、図２Ａは、図１のフックのストッパが閉位置にロックされた状態を示す平面図であり、図２Ｂは、図１のフックのストッパのロックが解除された状態を示す平面図であり、図３Ａは、図１のフックのストッパが開位置にある状態を示す平面図であり、図３Ｂは、ストッパが閉位置にロックされた状態のフックの正面図である。
【００２１】
図１〜図３を参照して、本発明による高所作業用安全帯のフックは、金属板から形成されたフック本体１を備えている。フック本体１の基部１ａには命綱連結孔１３が形成され、命綱連結孔１３に、高所作業用安全帯に備えられた命綱１４（図４参照）の先端が連結されるようになっている。また、フック本体１は、先端１ｂの外側端縁に切欠き１ｄを有している。
【００２２】
フック本体１の中間部１ｃには、第１および第２の腕部分３、４を有し、ベルクランク形状をなす金属製のストッパ２が取り付けられている。ストッパ２は、一対の側壁２ａと、一対の側壁２ａにおける第１の腕部分３を形成する領域の、フック本体１の開口に対向する側の縁同士を接続する接続壁２ｂ、２ｃとからなっている。この場合、第１の腕部分３の先端付近の一定の長さ範囲内には接続壁は設けられず、開口２ｄが形成されている。
【００２３】
ストッパ２は、第１および第２の腕部分３、４の接続部がフック本体１の中間部１ｃに外側から嵌め込まれた状態で、当該接続部を第１のピン５によって中間部１ｃに、第２の腕部分４が第１の腕部分３の軸に関してフック本体１の基部１ａ側に位置する配置で取り付けられ、第１のピン５のまわりに旋回可能になっている。
【００２４】
そして、ストッパ２は、第１の腕部分３がその先端をフック本体１の先端に外側から係合させてフック本体１の中間部１ｃおよび先端１ｂ間を閉じる閉位置（図２Ａ参照）と、第１の腕部分３がフック本体１の先端から外向きに（旋回円の周方向に）所定距離離間してフック本体１の中間部１ｃおよび先端１ｂ間を開く開位置（図３Ａ参照）をとる。
【００２５】
図２Ａから明らかなように、閉位置では、フック本体１の先端１ｂがストッパ２の開口２ｄ内に進入するとともに、ストッパ２の先端側の接続壁２ｂの下端縁がフック本体１の先端１ｂの外側端縁の切欠き１ｄより上方の位置に当接する。
こうして、作業者の墜落時にフックの頂点および命綱連結孔方向に外向きに及ぼされる荷重によって、フック本体１が湾曲した場合であっても、ストッパ２の接続壁２ｂの下端とフック本体１の切欠き１ｄとが係合することによって、ストッパ２は確実に閉位置に保持される。
【００２６】
第１のピン５には第１のバネ６が嵌め込まれている。そして、第１のバネ６の一端がフック本体１に固定され、または当接する一方、他端がストッパ２に固定され、または当接し、それによって、ストッパ２は常時閉位置に向けて弾性付勢される。
【００２７】
また、フック本体１の基部１ａに操作レバー７の一端７ａが第２のピン８によって取り付けられるとともに、操作レバー７の他端７ｂ側がストッパ２の第２の腕部分４に作動連結されていて、操作レバー７が、第２のピン８のまわりに、ストッパ２を閉位置にロックする第１の位置と、ストッパ２に開位置をとらせる第２の位置との間において旋回可能になっている。
【００２８】
操作レバー７は、この実施例では、一対の同一形状の金属製板体からなっており、これら一対の操作レバー７の間にフック本体１の基部１ａを挟んだ状態で、一端７ａを第２のピン８によって取り付けられ、このピン８のまわりに旋回し得る。
操作レバー７の他端７ｂ側にはスリット９が設けられている。スリット９は、第２のピン８の半径方向にのびる第１のスリット部分９ａと、第１のスリット部分９ａの先端から操作レバー７の第１の位置から第２の位置への旋回方向にのびる第２のスリット部分９ｂとからなる実質上Ｌ字形状を有している。
【００２９】
また、ストッパ２の第２の腕部分４の先端には取付穴４ａが形成され、そして、第２の腕部分４の先端と対応する操作レバー７の他端７ｂが重ね合わされ、かつ取付穴４ａとスリット９が整合した状態で、リベット１０が内側から取付穴４ａおよびスリット９に挿通された後、その先端をかしめられる。この場合、リベット１０のスリット９内での移動を円滑にするため、リベット１０の軸にはスペーサ１１が嵌め込まれる。
【００３０】
こうして、操作レバー７およびストッパ２がリベット１０によって連結されるとともに、操作レバー７の旋回に伴って、リベット１０がスリット９によって案内されつつストッパ２が旋回する。そして、操作レバー７が第１の位置にあるとき、ガイドピンが第２のスリット部分９ｂ内にあってストッパ２が閉位置にロックされるようになっている（図２Ａ参照）。
【００３１】
この実施例では、操作レバー７およびストッパ２の第２の腕部分４の連結をリベット１０によって行っているが、この連結部材はリベットに限定されず、第２の腕部分４に取り付けられてスリット９内に挿入されるガイドピンとして機能するものであればどのようなものでもよい。
【００３２】
さらに、第２のピン８には第２のバネ１２が嵌め込まれている。そして、第２のバネ１２の一端がフック本体１に固定され、または当接する一方、他端が操作レバー７に固定され、または当接し、それによって、操作レバー７は常時第１の位置に向けて弾性付勢される。
【００３３】
そして、操作レバー７がフック本体１の基部１ａとともに使用者の手で握られた状態で、操作レバー７が第１の位置（図２Ａ参照）から第２の位置（図３Ａ参照）に向けて旋回せしめられるとき、まず、リベット１０が第２のスリット部分９ｂ内から第１のスリット部分９ａ内に移動することで、ストッパ２のロックが解除され（図２Ｂ参照）、次いで、リベット１０が第２のスリット部分９ａ内を移動しつつ操作レバー７が旋回せしめられ、操作レバー７が第２の位置に到達した時点でストッパ２が開位置をとる（図３Ａ参照）。
【００３４】
開位置において、フック本体１が高所作業現場の固定用構造物に引っ掛けられ、その後、操作レバー７が開放される。それによって、ストッパ２が閉位置に戻り、操作レバー７によってロックされ、フックが固定用構造物に係止される。
【００３５】
本発明によれば、ストッパ２をフック本体１の外側に開いてフックを開口するので、ストッパ２の閉位置においてフック本体１およびストッパ２によって囲まれたスペースがすべて、固定用構造物の係止のための有効スペースとなり、加えて、ストッパ２が開位置をとるときにフックに形成される開口も大きくなる。
そして、ストッパをフック本体の内側に開いてフックを開口する従来型のフックと同程度のサイズおよび重量で、より大きな固定用構造物にも確実に係止可能なフックを提供することができる。
【００３６】
そして、例えば、図４Ａに示すように、固定用構造物として、間隔をあけて配置した多数の支柱１５間に親綱１６を水平に張ったものが利用される場合、フックを１の支柱１５の一方側から他方側に移動させるときには、図４Ｂから明らかなように、支柱１５の一方の側においてフックを開くがフックを親綱１６から取り外すことなく、フックを開いた状態で親綱１６および支柱１５に係合させ、そのままフックを支柱１５の他方の側の親綱１６へ移動させた後、フックを閉じることで、作業者の移動の安全が確保される。
【００３７】
また、本発明によれば、フックを一旦固定用構造物に係合させると、操作レバー７によってストッパ２のロックを解除しない限り、フックが固定用構造物から外れることがなく、安全が確保される。さらに、本発明によるフックは、部品点数も少なく構造が簡単であり、低コストで製造することができる。
【００３８】
上記実施例においても、ストッパ２は常時閉位置にロックされるので、フックは確実に固定用構造物に係止された状態に維持され、作業者の安全が確保されることは言うまでもないが、ストッパ２を閉位置にロックした状態で、さらに操作レバー７をロックできるようにすれば、より高い安全性を実現することができる。
【００３９】
この操作レバー７のロック機構を備えた実施例を図５に示した。なお、図５中、図１〜図４に示した構成要素と同じものには同一番号を付し、以下では詳細な説明を省略する。
図５を参照して、この実施例では、フック本体１に、操作レバー７を第１の位置にロックするロック位置（図５Ａ参照）と、操作レバー７のロックを解除するロック解除位置（図５Ｂ参照）をとる操作レバーロック機構１７が設けられる。
【００４０】
操作レバーロック機構１７は、フック本体１の両側であって、ストッパ２の内側に配置され、ストッパ２とともにフック本体１の中間部１ｂに第１のピン５によって取り付けられ、第１のピン５のまわりに旋回可能とされた一対の側壁１８ａと、一対の側壁１８ａのフック本体１の外側端縁を越えて外向きにのびる側縁部分同士を接続する接続壁１８ｂとから形成されたロックレバー１８を備えている。
【００４１】
ロックレバー１８は、第１のピン５からフック本体１の内側端縁側にのびる第１の腕部分１９ａと、第１のピン５からフック本体１の外側端縁側にほぼＬ字状にのびる第２の腕部分１９ｂを有している。そして、第２の腕部分１９ｂのそれぞれの先端のフック本体１の外側端縁を越えて外向きにのびる側縁の一部が接続壁１８ｂによって互いに接続されている。ロックレバー１８の接続壁１８ｂは、フック本体１の外側端面に対向している。
【００４２】
こうして、図５に示すように、ロックレバー１８は、ストッパ２が閉位置にロックされた状態において、第１のピン５のまわりに、接続壁１８ｂの上端縁がフック本体１に当接するとともに、第１の腕部分１９ａの先端が操作レバー７上端のフック本体１側の縁に当接することによって操作レバー７の旋回を阻止するロック位置（図５Ａ参照）と、接続壁１８の下端縁がフック本体１に当接するとともに、第１の腕部分１９ａが操作レバー７から離間して操作レバー７の旋回範囲から退避するロック解除位置（図５Ｂ参照）との間で旋回可能になっている。
【００４３】
操作レバーロック機構１７は、さらに、第１のピン５に取り付けられ、ストッパ２およびロックレバー１８に作用し、ストッパ２を常時閉位置に向けて弾性付勢すると同時に、ロックレバー１８を常時ロック位置に向けて弾性付勢する第１のバネ６’を備えている。
【００４４】
この実施例によれば、フックを開く際、ストッパ２のロックの解除に先立って、操作レバー７のロックが解除される。操作レバー７のロックの解除は、操作レバー７およびロックレバー１８の接続壁１８ｂがフック本体１の基部１ａとともに使用者の手で握られた状態で、ロックレバー１８がロック位置からロック解除位置まで旋回せしめられることによってなされる。そして、ロックレバー１８がロック解除位置に維持された状態で、図１〜図４に示した実施例の場合と同様にして、ストッパ２のロックが解除され、次いでストッパ２が開位置まで旋回せしめられる。
【００４５】
なお、操作レバーロック機構１７の構成はこの実施例に限定されるものではなく、フック本体２に設けられて、操作レバー７を第１の位置にロックするロック位置と、操作レバー７のロックを解除するロック解除位置をとるものであればどのような構成であってもよい。
【００４６】
以上、本発明の構成をいくつかの好ましい実施例に基づいて説明したが、本発明の構成は上記実施例に限定されるものではなく、特許請求の範囲に記載した構成の範囲内において種々の変形例を案出できることは言うまでもない。
【００４７】
例えば、上記実施例では、ストッパおよび操作レバーをフック本体の両側に配置したが、ストッパおよび操作レバーをフック本体の一方の側にのみ配置することもできる。
【符号の説明】
【００４８】
１  フック本体
１ａ  基部
１ｂ  先端
１ｃ  中間部
１ｄ  切欠き
２  ストッパ
２ａ  側壁
２ｂ、２ｃ  接続壁
２ｄ  開口
３  第１の腕部分
４  第２の腕部分
４ａ  取付穴
５  第１のピン
６、６’  第１のバネ
７  操作レバー
７ａ  一端
７ｂ  他端
８  第２のピン
９  スリット
９ａ  第１のスリット部分
９ｂ  第２のスリット部分
１０  リベット
１１  カラー
１２  第２のバネ
１３  命綱連結孔
１４  命綱
１５  支柱
１６  親綱
１７  操作レバーロック機構
１８  ロックレバー
１８ａ  側壁
１８ｂ  接続壁
１９ａ  第１の腕部分
１９ｂ  第２の腕部分
２０  本体
２０ａ  基部
２０ｂ  先端
２１  ストッパ
２１ａ  一端
２１ｂ  他端
２２  第１のピン
２３  ロック部材
２４  第２のピン
２５  スリット
２６  第３のピン
２７  ハンドル
２７ａ  一端
２７ｂ  他端
２８  第４のピン
２９  命綱連結孔
【図１】
2014239724.tif 000003
【図２】
2014239724.tif 000004
【図３】
2014239724.tif 000005
【図４】
2014239724.tif 000006
【図５】
2014239724.tif 000007
【図６】
2014239724.tif 000008